(57)【要約】      （修正有）【課題】移動通信端末の移動先の位置における放送波の受信感度に基づいて、再生中のコンテンツを放送波で受信すべきか決定できるようにする。【解決手段】複数の移動通信端末から受信した、移動通信端末の位置情報と該位置における前記放送波の受信感度を含むエリア情報を管理するエリア情報管理部と、前記複数の移動通信端末の一から、前記コンテンツを前記放送波を通じて受信すべきかの問合せ信号を受信する問合せ信号受信部と、該問合せ信号に含まれる、少なくとも該移動通信端末の現在の位置情報に基づいて該移動通信端末の将来の予測位置を算出する予測位置算出部と、前記エリア情報から取得される、前記予測位置に対応する受信感度に基づいて、該移動通信端末が前記コンテンツを前記放送波を通じて受信すべきか決定する受信手段決定部と、前記決定を該移動通信端末に通知する受信手段通知部と、を有する、移動通信端末管理サーバを備える。【選択図】図３Ｂ
2013110474.tif 000002
【特許請求の範囲】
【請求項１】
テレビ放送に係る放送波及び移動体通信に係る通信波の両方を通じて提供されるコンテンツを受信して再生する複数の移動通信端末を管理する移動通信端末管理サーバであって、
前記複数の移動通信端末から受信した、移動通信端末の位置情報と該位置における前記放送波の受信感度を含むエリア情報を管理するエリア情報管理部と、
前記複数の移動通信端末の一から、前記コンテンツを前記放送波を通じて受信すべきかの問合せ信号を受信する問合せ信号受信部と、
該問合せ信号に含まれる、少なくとも該移動通信端末の現在の位置情報に基づいて該移動通信端末の将来の予測位置を算出する予測位置算出部と、
前記エリア情報から取得される、前記予測位置に対応する受信感度に基づいて、該移動通信端末が前記コンテンツを前記放送波を通じて受信すべきか決定する受信手段決定部と、
前記決定を該移動通信端末に通知する受信手段通知部と、
を有する、移動通信端末管理サーバ。
【請求項２】
前記受信手段決定部は、
前記予測位置に対応する受信感度が所定の閾値より低い場合、前記コンテンツを前記通信波を通じて受信すべきと決定し、
前記予測位置に対応する受信感度が所定の閾値以上である場合、前記コンテンツを前記放送波を通じて受信すべきと決定する、
請求項１に記載の移動通信端末管理サーバ。
【請求項３】
前記エリア情報は、何れかの移動通信端末から位置情報と該位置における受信感度を受信するたびに更新され、
前記受信手段決定部は、更新された前記エリア情報を参照して前記決定を行う、
請求項１又は２に記載の移動通信端末管理サーバ。
【請求項４】
前記予測位置算出部は、移動通信端末から受信した前回の位置情報と現在の位置情報とから、該移動通信端末の進行方向と進行速度を求めることにより、予測位置を算出する、
請求項１乃至３何れか一項に記載の移動通信端末管理サーバ。
【請求項５】
テレビ放送に係る放送波及び移動体通信に係る通信波の両方を通じて提供されるコンテンツを受信して再生する移動通信端末であって、
当該移動通信端末で再生中の前記コンテンツを、前記放送波を通じて受信すべきかをサーバに問合せる問合せ信号を送信する問合せ信号送信部であって、該問合せ信号には当該移動通信端末の位置情報が含まれる、問合せ信号送信部と、
前記問合せ信号に対する前記サーバからの通知に基づいて、前記コンテンツの受信手段を制御する受信手段制御部と、
を有する、移動通信端末。
【請求項６】
前記受信手段制御部は、前記サーバからの通知と該通知を受け取った後に測定された当該移動通信端末の放送波の受信感度とに基づいて前記コンテンツの受信方法を制御し、
前記受信手段制御部は、
該通知が前記通信波を通じて前記コンテンツを受信すべきとするものである場合、前記通信波を通じて前記コンテンツを受信するよう制御し、
該通知が前記放送波を通じて受信すべきとするものである場合であって、かつ該受信感度がコンテンツを再生するために必要な受信感度を満たさない場合、前記通信波を通じて前記コンテンツを受信するよう制御し、
上記以外の場合には前記放送波を通じて前記コンテンツを受信するよう制御する、
請求項５に記載の移動通信端末。
【請求項７】
前記放送波を通じて前記コンテンツを再生している場合であって、前記放送波の受信感度が所定の閾値より低い場合、前記受信手段制御部は、さらに通信波を通じて同時に前記コンテンツを受信するよう制御し、
前記放送波で前記コンテンツが受信できなくなった場合、前記通信波を通じて受信されていた前記コンテンツを再生する、
請求項５又は６に記載の移動通信端末。
【請求項８】
テレビ放送に係る放送波及び移動体通信に係る通信波の両方を通じて提供されるコンテンツを受信して再生する移動通信端末と、複数の移動通信端末を管理する移動通信端末管理サーバを有する移動通信システムであって、
前記移動通信端末管理サーバは、
前記複数の移動通信端末から受信した、移動通信端末の位置情報と該位置における放送波の受信感度を含むエリア情報を管理するエリア情報管理部と、
前記複数の移動通信端末の一から、前記コンテンツを前記放送波を通じて受信すべきかの問合せ信号を受信する問合せ信号受信部と、
該問合せ信号に含まれる、少なくとも該移動通信端末の現在の位置情報に基づいて該移動通信端末の将来の予測位置を算出する予測位置算出部と、
前記エリア情報から取得される、前記予測位置に対応する受信感度に基づいて、該移動通信端末が前記コンテンツを前記放送波を通じて受信すべきか決定する受信手段決定部と、
前記決定を該移動通信端末に通知する受信手段通知部と、
を有し、
前記移動通信端末は、
当該移動通信端末で再生中の前記コンテンツを、前記放送波を通じて受信すべきかを前記移動通信端末管理サーバに問合せる問合せ信号を送信する問合せ信号送信部であって、該問合せ信号には当該移動通信端末の位置が含まれる、問合せ信号送信部と、
前記問合せ信号に対する前記サーバからの通知に基づいて、前記コンテンツの受信手段を制御する受信手段制御部と、
を有する、移動通信システム。
【請求項９】
テレビ放送に係る放送波及び移動体通信に係る通信波の両方を通じて提供されるコンテンツを受信して再生する複数の移動通信端末を管理する移動通信端末管理サーバであって、
前記複数の移動通信端末から受信した、移動通信端末の位置情報と該位置における前記放送波の受信感度を含むエリア情報を管理するエリア情報管理部と、
前記複数の移動通信端末のうちの一つの移動通信端末から、該移動通信端末の現在位置に対応する前記エリア情報の問合せに係る問合せ信号を受信する問合せ信号受信部と、
該移動通信端末の現在位置に対応する前記エリア情報を該移動通信端末に通知する受信手段通知部と、
を有し、
前記エリア情報は、何れかの移動通信端末から位置情報と該位置における受信感度を受信するたびに更新される、
移動通信端末管理サーバ。
【請求項１０】
テレビ放送に係る放送波及び移動体通信に係る通信波の両方を通じて提供されるコンテンツを受信して再生する移動通信端末であって、
当該移動通信端末の現在位置に対応するエリア情報をサーバに問合せる問合せ信号を送信する問合せ信号送信部と、
少なくとも当該移動通信端末の現在位置に基づいて当該移動通信端末の将来の予測位置を算出する予測位置算出部と、
前記サーバから受信された前記エリア情報から取得される、前記予測位置に対応する受信感度に基づいて、該移動通信端末が前記コンテンツを前記放送波を通じて受信すべきか決定する受信手段決定部と、
該決定に基づいて、前記コンテンツの受信手段を制御する受信手段制御部と、
を有する、移動通信端末。
【請求項１１】
テレビ放送に係る放送波及び移動体通信に係る通信波の両方を通じて提供されるコンテンツを受信して再生する移動通信端末と、複数の移動通信端末を管理する移動通信端末管理サーバを有する移動通信システムであって、
前記移動通信端末管理サーバは、
前記複数の移動通信端末から受信した、移動通信端末の位置情報と該位置における前記放送波の受信感度を含むエリア情報を管理するエリア情報管理部と、
前記複数の移動通信端末のうちの一つの移動通信端末から、該移動通信端末の現在位置に対応する前記エリア情報に係る問合せ信号を受信する問合せ信号受信部と、
該移動通信端末の現在位置に対応する前記エリア情報を該移動通信端末に通知する受信手段通知部と、
を有し、
前記移動通信端末は、
当該移動通信端末の現在位置に対応するエリア情報を前記移動通信端末管理サーバに問合せる問合せ信号を送信する問合せ信号送信部と、
少なくとも当該移動通信端末の現在位置に基づいて当該移動通信端末の将来の予測位置を算出する予測位置算出部と、
前記移動通信端末管理サーバから受信された前記エリア情報から取得される、前記予測位置に対応する受信感度に基づいて、該移動通信端末が前記コンテンツを前記放送波を通じて受信すべきか決定する受信手段決定部と、
該決定に基づいて、前記コンテンツの受信手段を制御する受信手段制御部と、
を有する、移動通信システム。
【発明の詳細な説明】
【技術分野】
【０００１】
本発明は、移動通信端末、移動通信端末管理サーバ及び移動通信システムに関する。
【背景技術】
【０００２】
コンテンツ視聴サービスとして、1セグメント放送に代表されるテレビ放送に係る放送波を移動通信端末で受信してコンテンツを再生できるサービスが普及している。このようなサービスにおいては、ユーザは外出先などでもコンテンツを再生することができる。
【発明の概要】
【発明が解決しようとする課題】
【０００３】
しかしながら、このようなサービスにおいては、放送波の圏外エリアや建物内、地下等のように、放送波を受信できない場所が存在する。そのため、ユーザが、移動通信端末で放送波によるストリーミング配信によりコンテンツを再生している間に、放送波を受信できない場所へ移動した場合、コンテンツの再生が予期せず中断されてしまう問題がある。
【０００４】
特許文献１には、移動通信端末で放送番組の視聴中に放送波の受信圏外への移動などにより放送番組が一旦受信できなくなったことを検出した後、パケット通信により受信を開始する移動通信端末が開示されている。しかしながら、上述したような、コンテンツの再生が中断されてしまう問題を回避することはできない。
【０００５】
本発明は、上記問題に鑑みてなされたものであり、移動通信端末の移動後の位置を推測してコンテンツを放送波で受信すべきか否か決定できるようにすることを目的とする。
【課題を解決するための手段】
【０００６】
上述した課題を解決し目的を達成するため、本発明にかかる移動通信端末管理サーバは、テレビ放送に係る放送波及び移動体通信に係る通信波の両方を通じて提供されるコンテンツを受信して再生する複数の移動通信端末を管理する移動通信端末管理サーバであって、前記複数の移動通信端末から受信した、移動通信端末の位置情報と該位置における前記放送波の受信感度を含むエリア情報を管理するエリア情報管理部と、前記複数の移動通信端末の一から、前記コンテンツを前記放送波を通じて受信すべきかの問合せ信号を受信する問合せ信号受信部と、該問合せ信号に含まれる、少なくとも該移動通信端末の現在の位置情報に基づいて該移動通信端末の将来の予測位置を算出する予測位置算出部と、前記エリア情報から取得される、前記予測位置に対応する受信感度に基づいて、該移動通信端末が前記コンテンツを前記放送波を通じて受信すべきか決定する受信手段決定部と、前記決定を該移動通信端末に通知する受信手段通知部と、を有する、移動通信端末管理サーバを提供する。
【発明の効果】
【０００７】
本発明によれば、移動通信端末の移動先の位置における放送波の受信感度に基づいて、再生中のコンテンツを放送波で受信すべきか決定できる。
【図面の簡単な説明】
【０００８】
【図１】本発明の一実施形態における移動通信システムの概要を表す図。
【図２Ａ】本発明の一実施形態における移動通信端末のハードウェア構成の例を表す図。
【図２Ｂ】本発明の一実施形態における移動通信端末管理サーバのハードウェア構成の例を表す図。
【図３Ａ】本発明の一実施形態における移動通信端末の機能ブロックを表す図。
【図３Ｂ】本発明の一実施形態における移動通信端末管理サーバの機能ブロックを表す図。
【図４Ａ】本発明の一実施形態における移動通信端末の処理フローを表す図。
【図４Ｂ】本発明の一実施形態における移動通信端末管理サーバの処理フローを表す図。
【図５】本発明の一実施形態における移動通信端末のコンテンツ受信手段の決定方法を表す図。
【図６Ａ】本発明の一実施形態における移動通信端末の変形例の機能ブロックを表す図。
【図６Ｂ】本発明の一実施形態における移動通信端末管理サーバの変形例の機能ブロックを表す図。
【図７Ａ】本発明の一実施形態における移動通信端末の変形例の処理フローを表す図。
【図７Ｂ】本発明の一実施形態における移動通信端末管理サーバの変形例の処理フローを表す図。
【発明を実施するための形態】
【０００９】
以下、本発明の実施形態を図面に基づいて説明する。  
１．概要
２．ハードウェア構成
２．１  移動通信端末のハードウェア構成
２．２  移動通信端末管理サーバのハードウェア構成
３．機能
３．１  移動通信端末の機能
３．２  移動通信端末管理サーバの機能
４．処理フロー
４．１  移動通信端末の処理フロー
４．２  移動通信端末管理サーバの処理フロー
５．変形例
【００１０】
（１．概要）
図１を用いて、本発明の一実施形態における移動通信システム１の概要を説明する。移動通信システム１は、移動通信端末１００、移動通信端末管理サーバ１１０、ワンセグ等のテレビ放送に係るコンテンツを含む放送波１４０を送出する放送局１２０、移動通信端末１００と移動通信端末管理サーバ１１０とが接続される携帯電話網等のネットワーク１３０及びネットワーク１３０に接続するためにネットワーク１３０の基地局等から発せられる通信波１５０を有する。ここで、テレビ放送に係るコンテンツは、放送局１２０又はコンテンツプロバイダ等により提供される図示しないコンテンツサーバにより、ネットワーク１３０に係る通信波１５０によっても提供される。
【００１１】
移動通信端末１００は、テレビ放送に係る放送局１２０から放送波１４０を通じて受信されるコンテンツを再生することが可能な携帯電話端末等の移動通信端末である。放送波１４０には、デジタルテレビ放送の場合には、例えばＵＨＦ帯（４７０MHz−７７０MHz）の電波が使用される。また、移動通信端末１００は、放送波１４０の受信感度がコンテンツの再生に必要な受信感度に満たない場合、同等のコンテンツをネットワーク１３０に係る通信波１５０を通じて取得し、再生することができる。通信波１５０には、例えば携帯電話向けの第三世代移動通信システムのための８００ＭＨｚ帯又は２ＧＨｚ帯の電波が使用される。
【００１２】
移動通信端末１００は、放送波１４０を通じてコンテンツを受信して再生している場合に、放送波１４０の受信感度に応じて、通信波１５０に切り替えて受信することができる。そのような切り替えを行うために、移動通信端末１００は、コンテンツの再生中、一定時間ごとに、放送波１４０又は通信波１５０何れの再生手段を選択して再生を継続すべきか、後述の移動通信端末管理サーバ１１０に問い合わせる。この時、ＧＰＳを用いて測定された現在の位置情報及び直近に測定された前回の位置情報を合わせて送信する。さらに、移動通信端末１００は、現在の位置における放送波１４０の受信感度も合わせて管理サーバに送信する。
【００１３】
移動通信端末管理サーバ１１０は、移動通信端末１００を管理するサーバである（以下、「管理サーバ」とする）。管理サーバ１１０は、コンテンツ再生中の移動通信端末１００から現在の位置情報と前回位置情報を受け取り、その移動方向及び移動速度から、将来の位置を予測する。そして、予測位置における放送波１４０の受信感度がコンテンツの再生に十分であるかどうかに基づいて、放送波１４０又は通信波１５０何れを用いてコンテンツの受信を継続すべきか移動通信端末１００に通知する。ここで、管理サーバ１１０は、移動通信端末１００を含む複数の移動通信端末から受信された、位置情報と対応する放送波１４０の受信感度の情報をエリア情報１１５として保管している。そこで、このエリア情報１１５に基づき、予測地点に対応する放送波１４０の受信感度を取得することができる。
【００１４】
このようにして、移動通信端末１００は、管理サーバ１１０から、再生中のコンテンツの受信手段の通知を受け、放送波１４０の受信が困難である位置に移動することが予測される場合には、予め通信波１５０による受信に切り替えることができる。その結果、コンテンツの再生が途切れることなく、受信手段の切り替えが可能となる。
【００１５】
なお、放送波１４０は、ワンセグ等のテレビ放送に限られず、いわゆる１２セグメント放送や、デジタルラジオ放送に係る放送波であってもよい。
【００１６】
（２．ハードウェア構成）
図２Ａ、図２Ｂを用いて、移動通信端末１００及び管理サーバ１１０のハードウェア構成について説明する。
【００１７】
（２．１  移動通信端末のハードウェア構成）
図２Ａは、本発明の一実施形態における移動通信端末１００のハードウェア構成例を表す。移動通信端末１００は、ＣＰＵ２００、ＲＯＭ２０２、ＲＡＭ２０４、フラッシュメモリ２０６、ネットワークコントーラ２０８、通信装置２１０、グラフィックスコントローラ２１２、表示装置２１４、入力コントローラ２１６、入力装置２１８、ＧＰＳコントローラ２２０、ＧＰＳセンサ２２２、チューナ２２４、アンテナ２２６及びバス２２８を有する。
【００１８】
ＣＰＵ２００は、本発明の一実施形態における移動通信端末１００で実行されるプログラムの動作制御を行う。ＲＯＭ２０２は、ＣＰＵ２００が実行するプログラムの動作に必要なＯＳやデータ等を記憶する。ＲＡＭ２０４は、ＣＰＵ２００のワークエリア等を構成する。フラッシュメモリ２０６は、ユーザが取得した画像や動画等のデータを記憶する。ネットワークコントローラ２０８は、移動体通信用のアンテナ等の通信装置２１０を介して、ネットワーク１３０に接続される管理サーバ１１０等と通信を行うための通信制御を行う。グラフィックスコントローラ２１２は、液晶ディスプレイ等の表示装置２１４を介して、当該移動通信端末１００のユーザに操作画面を提供するための制御を行う。入力コントローラ２１６は、ボタンやタッチパネル等の入力装置２１８を介してユーザから入力される信号を制御する。ＧＰＳコントローラ２２０は、移動通信端末１００の位置情報を取得するためにＧＰＳセンサ２２２を制御する。チューナ２２４は、アンテナ２２６を通じてワンセグ放送等のデジタルテレビ放送に係るコンテンツを受信し、さらにアンテナ２２６における放送波の受信感度を測定できる。バス２２８は、移動通信端末１００を構成する上記装置を相互に接続し、データのやり取りを行う。
【００１９】
上記構成により、本発明の一実施形態に係る移動通信端末１００は、位置情報と放送波１４０の受信感度を取得し、管理サーバ１１０に送信できる。また、放送波１４０を通じて再生中のコンテンツについて、管理サーバ１１０からの通知に基づき、通信波１５０を通じてコンテンツを再生するよう、受信手段を切り替えることができる。
【００２０】
（２．２  移動通信端末管理サーバのハードウェア構成）
図２Ｂは、本発明の一実施形態における管理サーバ１１０のハードウェア構成例を表す。管理サーバ１１０は、ＣＰＵ２５０、ＲＯＭ２５２、ＲＡＭ２５４、ＨＤＤ２５６、ネットワークコントーラ２５８、通信装置２６０、グラフィックスコントローラ２６２、表示装置２６４、入力コントローラ２６６、入力装置２６８及びバス２７０を有する。
【００２１】
ＣＰＵ２５０は、本発明の一実施形態における管理サーバ１１０で実行されるプログラムの動作制御を行う。ＲＯＭ２５２は、ＣＰＵ２５０が実行するプログラムの動作に必要なＯＳやデータ等を記憶する。ＲＡＭ２５４は、ＣＰＵ２５０のワークエリア等を構成する。ＨＤＤ２５６は、移動通信端末１００を含む複数の移動通信端末に関するデータや、エリア情報１１５等を記憶する。ネットワークコントローラ２５８は、通信装置２６０を介して、ネットワーク１３０に接続される複数の移動通信端末と通信を行うための通信制御を行う。グラフィックスコントローラ２６２は、ＣＲＴ又は液晶ディスプレイ等の表示装置２６４を介して、管理サーバ１１０のユーザに操作画面や情報を提供するための制御を行う。入力コントローラ２６６は、キーボードやマウス等の入力装置２６８を介してユーザから入力される信号を制御する。バス２７０は、管理サーバ１１０を構成する上記装置を相互に接続し、データのやり取りを行う。
【００２２】
上記構成により、本発明の一実施形態に係る管理サーバ１１０は、複数の移動通信端末と通信し、位置情報とその位置における放送波１４０の受信感度をエリア情報１１５として保管できる。また、移動通信端末１００から取得された位置情報から移動後の予測位置を算出し、エリア情報１１５を参照して、移動通信端末１００が選択すべき受信手段を通知できる。
【００２３】
なお、管理サーバ１００は、移動通信端末１００からアクセス可能なサーバ装置に統合されて提供されてもよい。このような場合、移動通信端末１００は、ネットワーク上の他の通信端末から操作され得るため、表示装置２６４、入力装置２６８は不要となる。
【００２４】
また、ＨＤＤ２５６は、テーブドライブ等の記憶装置であってもよい。あるいは、ＨＤＤ２５６の代わりに、通信装置２６０を通じてアクセス可能なネットワーク上の記憶装置を用いてもよい。
【００２５】
（３．機能）
図３Ａ、図３Ｂを用いて、移動通信端末１００及び管理サーバ１１０の機能について説明する。
【００２６】
（３．１  移動通信端末の機能）
移動通信端末１００は、出力制御部３００、放送受信部３０２、受信感度測定部３０４、位置情報管理部３０６、受信手段制御部３０８及び通信制御部３１０を有し、放送波１４０又は通信波１５０によって受信したコンテンツを再生する。
【００２７】
出力制御部３００は、放送波１４０又は通信波１５０によって受信されたコンテンツをユーザに出力する。
【００２８】
放送受信部３０２は、放送局１２０から送信される放送波１４０を通じてコンテンツを受信する。また、放送受信部３０２は、ユーザからのコンテンツ受信要求に応じて、放送波１４０を通じてコンテンツを受信する。受信されたコンテンツは出力制御部３００に渡され、出力される。
【００２９】
受信感度測定部３０４は、放送受信部３０２を通じて受信される放送波１４０の受信感度を取得し、放送波１４０によるコンテンツの受信可否を判断する。受信感度とは、受信される放送波１４０の強さの度合いを表す。受信感度は、例えば放送波１４０によって伝送される情報のビット誤り率の測定値などによって検出でき、数段階（たとえば０−１００等）のレベルに区分することができる。受信感度の定義の方法については、ここでは特に限定しない。コンテンツの受信可否の判断方法は、例えば、受信感度の値が所定の閾値以上の場合は「受信可」、閾値より小さい場合は「受信不可」と判断する。所定の閾値は、移動通信端末１００の機種や放送波１４０の種類等によって任意の値をとり得る。ここで、所定の閾値は、例えば、移動通信端末１００において、最低限の品質を満たす水準においてコンテンツを再生可能となるような受信感度の値に設定することができる。また、受信可否の境界値である上記の所定の閾値とは異なる、さらなる閾値を設けてもよい。例えば、コンテンツを再生可能ではあるが、受信感度が低い水準である場合などである。
【００３０】
位置情報管理部３０６は、移動通信端末１００の現在の位置情報と前回測定された位置情報である前回の位置情報とをあわせて保持する。位置情報には、例えば、ＧＰＳによって測位された位置座標又はその取得時刻等が含まれる。前回の位置情報がない場合は、現在の位置情報を前回の位置情報として保持する。位置情報は、随時取得されてもよいし、後述する受信手段制御３０８による管理サーバ１１０への問合せの間隔ごとに取得されてもよい。
【００３１】
受信手段制御部３０８は、管理サーバ１１０から通知されたコンテンツの受信手段と、受信感度測定部３０４から取得される、放送波１４０によるコンテンツの受信可否の判断結果とに基づき、コンテンツの受信手段を制御する。受信手段とは、ここでは放送波１４０又は通信波１５０である。受信手段制御部３０８は、コンテンツの受信可否の判断結果が「受信可」である場合、放送波１４０によるコンテンツの受信を開始するため、放送受信部３０２へコンテンツ受信要求を送信する。一方、受信した判断結果が「受信不可」である場合、通信波１５０によるコンテンツの受信を開始するため、通信制御部３１０へコンテンツ受信要求を送信する。このように、移動通信端末１００において、放送波１４０によるコンテンツの受信可否に基づいて、受信手段を制御する。
【００３２】
一方、受信手段制御部３０８は、移動通信端末１００が移動した場合においても、コンテンツが途切れることなく再生し続けられるよう、受信手段を切り替える。このために、受信手段制御部３０８は、通信制御部３１０を通じて、管理サーバ１１０に対して一定間隔おきに受信手段についての問合せを行う。この時、移動後の位置の予測を可能とするため、現在の位置情報、前回の位置情報を問合せに係る問合せ信号に含める。また、このとき、現在の位置における放送波１４０の受信感度の情報も問合せ信号に含める。なお、管理サーバ１１０のコンテンツ受信手段の決定方法は後述する。ここでは、移動後の適切なコンテンツ受信手段が管理サーバ１２０から通知されたものとして説明する。
【００３３】
受信手段制御部３０８は、管理サーバ１１０から、通信制御部３１０を通じて通知された受信手段が、「放送波による受信」の場合には、放送受信部３０２にコンテンツ受信要求を送信する。一方、通知された受信手段が「通信波による受信」の場合には、通信制御部３１０へコンテンツ受信要求を送信する。
【００３４】
通信制御部３１０は、管理サーバ１１０へ適切な受信手段についての問合せを行う問合せ信号送信部３１２を有し、ネットワーク１３０を通じて管理サーバ１１０等との間でなされる通信を制御する。通信制御部３１０は、問合せに対する管理サーバ１１０からの通知を受信する。また、通信制御部３１０は、図示しないコンテンツ提供サーバ等から、ネットワーク１３０を通じて、放送波１４０を通じて提供されるコンテンツと同等のコンテンツを受信することができる。さらに、通信制御部３１０は、コンテンツ受信要求に応じて、ネットワーク１３０を介して通信波１５０によりコンテンツを受信する。受信されたコンテンツは、出力制御部３００に渡され、出力される。
【００３５】
問合せ信号送信部３１２は、管理サーバ１１０にコンテンツの受信手段を問い合わせる。問合せ信号送信部３１２は、位置情報管理部３０６から取得される現在の位置情報と前回の位置情報及び受信手段制御部３０８から渡される放送波１４０の受信感度を問合せ信号に含めて送信する。
【００３６】
以上により、移動通信端末１００は、放送波１４０によるコンテンツの受信可否の判断に基づいて、適切なコンテンツの受信手段を選択できる。また、管理サーバ１１０に受信手段を問合せ、移動後もコンテンツを再生し続けることのできる受信手段の通知を受けて、コンテンツの受信手段を切り替えることができる。
【００３７】
なお、受信手段制御部３０８は、管理サーバ１１０からコンテンツ受信手段を受信した後、さらに受信感度測定部３０４に、放送波１４０によるコンテンツの受信が可能か判断させてもよい。そして、この判断結果と、管理サーバ１１０から受信した受信手段とに基づき、コンテンツ受信手段を決定してもよい。このコンテンツ受信手段の決定の処理は、後述の処理フローの節において説明する。この処理により、管理サーバ１１０からの通知を受け取るまでのタイムラグ等により、移動通信端末１００における放送波１４０の受信感度が変化していることを考慮することができる。
【００３８】
また、受信手段制御部３０８は、放送波１４０によりコンテンツを受信している場合であっても、放送波１４０の受信感度が所定の閾値より低い場合には、さらに通信波１５０も用いて、同時に前記コンテンツを受信するよう制御してもよい。これにより、放送波１４０を通じて前記コンテンツが受信できなくなった場合、通信波１５０により受信されていたコンテンツを再生でき、途切れることなくコンテンツを再生できる。この場合における所定の閾値とは、先述の受信可否に係る所定の閾値と比べて、余裕を持たせた値に設定できる。例えば、移動通信端末１００において、最低限の品質を満たす水準においてコンテンツを再生可能となるような受信感度より高い受信感度の値に設定することができる。
【００３９】
（３．２  移動通信端末管理サーバの機能）
管理サーバ１１０は、通信制御部３５０、エリア情報管理部３５２、予測位置算出部３５４及び受信手段決定部３５６を有し、移動通信端末１００から受信手段についての問合せを受け、移動通信端末１００の移動後の予測位置に基づいて、適切な受信手段を通知する。
【００４０】
通信制御部３５０は、問合せ信号受信部３５８及び受信手段通知部３６０を有し、ネットワーク１３０を介して行われる、移動通信端末１００及び他の複数の移動通信端末との間の通信を制御する。
【００４１】
問合せ信号受信部３５８は、移動通信端末１００からコンテンツの受信手段についての問合せと、移動通信端末１００の現在の位置情報、前回の位置情報及び現在位置における放送波１４０の受信感度を受信する。
【００４２】
受信手段通知部３６０は、受信手段決定部３６０によって決定された受信手段を、移動通信端末１００へと通知する。
【００４３】
エリア情報管理部３５２は、それぞれの位置における放送波１４０の受信感度を記録してエリア情報１１５として管理する。位置と対応する受信感度は、移動通信端末１００を含む複数の移動通信端末から受信される位置情報及びその位置における放送波の受信感度に基づいて取得される。そして、エリア情報１１５は、それぞれの移動通信端末から位置情報と受信感度とを受信するごとに、自動的に更新される。これにより、システム管理者が手動でエリア情報を入力・更新する手間が省け、ユーザビリティが向上するとともに、常時情報が更新されるためシステムを運用する中でエリア情報の精度が向上する。ただし、本システムは記載のエリア情報生成方法に限定されるものではなく、他のエリア情報生成方法も適用可能である。なお、エリア情報１１５は、１日又は１週間に１回等、特定の頻度で更新されてもよい。
【００４４】
予測位置算出部３５４は、通信制御部３５０を通じて受信した移動通信端末１００の現在の位置情報及び前回の位置情報に基づいて、移動通信端末１００の移動後の予測位置を算出する。算出された予測位置は、受信手段決定部３５６に渡される。ここで予測位置は、移動通信端末１００の前回の位置情報と現在の位置情報とから、移動通信端末１００の進行方向と進行速度を求めることで算出してもよいし、他の如何なる手段を用いてもよい。例えば、移動通信端末１００の進行方向は、前回の位置に係る座標から現在の位置に係る座標への向きである。また、移動通信端末１００の進行速度は、現在の位置と前回の位置との間の距離と、それぞれの位置情報の取得時間の間隔から求めることができる。すなわち、現在の位置から、進行方向に向かって進行速度で進んだ位置を予測位置とすることができる。予測位置算出部３５４は、移動通信端末１００から取得される、位置情報のほか、問合せ間隔等を含む、あらゆる情報を用いて、移動通信端末１００の予測位置を算出してもよい。
【００４５】
受信手段決定部３５６は、通信制御部３５０を通じて受け取った移動通信端末１００からの問合せに対し、予測位置算出部３５４で算出された予測位置と、エリア情報１１５とに基づいて、適切な受信手段を決定する。受信手段決定部３５６は、移動通信端末１００からの問合せを受けると、予測位置算出部３５４に、通信制御部３５０を通じて受信した移動通信端末１００の現在の位置情報と前回の位置情報を渡して、予測位置を取得する。そして、予測位置における放送波１４０の受信感度をエリア情報１１５から取得し、放送波１４０によるコンテンツの受信が可能である場合には、放送波１４０を受信手段として決定する。一方、放送波１４０によるコンテンツの受信が可能でない場合には、通信波１５０を受信手段として決定する。ここで、コンテンツの受信可否の判断方法として、例えば受信感度の値が所定の閾値以上の場合は「放送波による受信」、閾値より小さい場合は「通信波による受信」と判断する方法などが考えられる。また、放送波１４０によりコンテンツを受信している場合であっても、放送波１４０の受信感度が所定の閾値より低い場合には、さらに通信波１５０も用いて、同時に前記コンテンツを受信するよう制御してもよい。決定された受信手段は、受信手段通知部３６０を通じて、移動通信端末１００へと通知される。ここで、所定の閾値は、例えば、移動通信端末１００において、最低限の品質を満たす水準においてコンテンツを再生可能となるような受信感度の値に設定することができる。
【００４６】
また、受信手段決定部３５６は、移動通信端末１００から受信した位置情報とその位置における放送波１４０の受信感度を、エリア情報１１５を更新するために、エリア情報管理部３５２に渡す。
【００４７】
以上により、管理サーバ１１０は、移動通信端末１００の予測位置における適切な受信手段を決定し、移動通信端末１００に通知することができる。また、移動通信端末１００からの受信手段についての問合せに含まれる位置情報と放送波１４０の受信感度を用いて自動的にエリア情報１１５を更新できる。その結果、最新の放送波１４０の受信感度の情報に基づいて、放送波１４０によるコンテンツの受信が可能かどうかの決定を行うことができる。
【００４８】
（４．処理フロー）
図４Ａ、図４Ｂ及び図５を用いて、移動通信端末１００及び管理サーバ１１０の処理フローについて説明する。
【００４９】
（４．１  移動通信端末の処理フロー）
図４Ａは、移動通信端末１００におけるコンテンツの受信に係る処理フローを表す。当該処理フローは、移動通信端末１００によって繰り返し実行される。
【００５０】
ステップＳ４００において、移動通信端末１００における処理が開始される。
【００５１】
ステップＳ４０２において、受信感度測定部３０４は、放送波１４０の受信感度の値を取得し、コンテンツの受信可否を判断する。ここでは、放送波１４０の受信感度の値が、所定の閾値以上か否かで判断を行う。ここで、所定の閾値は、例えば、移動通信端末１００において、最低限の品質を満たす水準においてコンテンツを再生可能となるような受信感度の値に設定することができる。放送波１４０の受信感度の値が所定の閾値以上であれば、ステップＳ４０４へと進み、そうでなければステップＳ４１４へと進む。
【００５２】
ステップＳ４０４において、通信手段制御部３０８は、問合せ信号送信部３１２を通じて管理サーバ１１０に受信手段の問合せを行う。問合せには、位置情報管理部３０６により取得した移動通信端末１００の現在の位置情報と前回の位置情報、及び受信感度測定部３０４により取得した放送波１４０の受信感度が含まれる。
【００５３】
ステップＳ４０６において、通信制御部３１０は、管理サーバ１１０から受信手段の通知を受信する。
【００５４】
ステップＳ４０８において、受信感度測定部３０４は、再度、放送波１４０の受信感度の値を取得し、放送波１４０によるコンテンツの受信可否を判断する。これは、管理サーバ１１０からの通知を受け取るまでのタイムラグ等により、移動通信端末１００における放送波１４０の受信感度が変化していることを考慮するために行われる。
【００５５】
ステップＳ４１０において、受信手段制御部３０８は、管理サーバ１１０から通知された受信手段と、ステップＳ４０８において判断されたコンテンツの受信可否とに基づいて、コンテンツの受信方法を決定する。この決定のために、図５に示されるテーブルを利用する。
【００５６】
図５におけるテーブルは、受信感度測定部３０４によって判断された、放送波１４０によるコンテンツの受信可否と、管理サーバ１１０から通知された受信手段（「放送波による受信」又は「通信波による受信」）との組み合わせにより定まる受信手段を示している。図５のテーブルの中の番号（１）ないし（４）は、以下の説明における番号に対応する。
（１）放送波によりコンテンツが受信可能であり、かつ、管理サーバ１１０から「放送波による受信」を行う旨の通知がなされた場合には、放送波１４０により受信を行う。
（２）放送波によりコンテンツが受信可能であっても、管理サーバ１１０から「通信波による受信」を行う旨の通知がなされた場合には、通信波１５０により受信を行う。これは、管理サーバ１１０が移動通信端末１００の移動後の予測位置に基づいて決定した受信手段に従うためである。
（３）放送波によりコンテンツが受信不可能である場合には、管理サーバ１１０から「放送波による受信」を行う旨の通知がなされても、通信波１５０により受信を行う。管理サーバ１１０は、移動通信端末１１０の予測位置に基づいて受信手段を通知するが、ネットワーク１３０の状況等により通知が遅延すると、当該組み合わせのような状態が生じ得る。この場合、コンテンツを再生し続けるため、通信波１５０による受信を行う。このような場合に対応するため、放送波１４０によりコンテンツを受信している場合であっても、さらに通信波を通じて予備的に前記コンテンツを受信してもよい。
（４）放送波によりコンテンツが受信不可能であり、かつ、管理サーバ１１０から「通信波による受信」を行う旨の通知がなされた場合には、通信波１５０により受信を行う。
【００５７】
ステップＳ４１２において、ステップＳ４１０で決定された受信手段に基づき、放送受信部３０２又は通信制御部３１０が、それぞれ放送波１４０又は通信波１５０によるコンテンツの受信を開始する。受信されたコンテンツは、出力制御部３００を通じて出力される。
【００５８】
ステップＳ４１４において、通信制御部３１０が、通信波１５０によるコンテンツの受信を開始する。受信されたコンテンツは、出力制御部３００を通じて出力される。
【００５９】
ステップＳ４１６において、コンテンツの再生が継続される場合にはステップＳ４０４へと戻り、そうでない場合にはステップＳ４１８へと進む。
【００６０】
ステップＳ４１８において、当該処理は終了する。
【００６１】
このように、移動通信端末１００は、コンテンツの再生中、一定時間毎に繰り返し管理サーバ１１０に受信手段を問合せ、通知される受信手段と放送波１４０によるコンテンツの受信可否の状態に基づきコンテンツの再生が途切れないよう受信手段を制御できる。
【００６２】
なお、ステップＳ４０８は省略されてもよい。すなわち、ステップＳ４１０において、図５に示した表によらず、常に管理サーバ１１０から通知された受信手段を用いてコンテンツを受信するよう決定される。これにより、移動通信端末１００における処理負荷が軽減される。
【００６３】
（４．２  移動通信端末管理サーバの処理フロー）
図４Ｂは、管理サーバ１１０が、移動通信端末１００のコンテンツの受信方法を決定して通知する処理のフローを表す。
【００６４】
ステップＳ４５０において、管理サーバ１１０における処理が開始される。
【００６５】
ステップＳ４５２において、問合せ信号受信部３５８は、移動通信端末１００からコンテンツの適切な受信手段についての問合せを受信する。また、合わせて、移動通信端末１００の現在の位置情報、前回の位置情報及び現在位置における放送波１４０の受信感度を受信する。
【００６６】
ステップＳ４５４において、予測位置算出部３５４は、移動通信端末１００の現在の位置情報及び前回の位置情報をもとに、移動通信端末１００の予測位置を算出する。
【００６７】
ステップＳ４５６において、受信手段決定部３５６は、予測位置算出部３５４で算出された予測位置と、エリア情報１１５とに基づいて、適切な受信手段を決定する。受信手段の決定方法として、例えば予測位置における受信感度の値が所定の閾値以上の場合は「放送波による受信」、閾値より小さい場合は「通信波による受信」とすることができる。所定の閾値は、例えば、移動通信端末１００において、ユーザが視聴可能である最低限の品質を満たす水準でコンテンツを再生可能となるような受信感度の値に設定する。
【００６８】
ステップＳ４５８において、受信手段通知部３６０は、ステップＳ４５６において決定された受信手段を移動通信端末１００に通知する。
【００６９】
ステップＳ４６０において、当該処理は終了する。
【００７０】
以上により、管理サーバ１１０は、移動通信端末１００の予測位置においてもコンテンツを受信し続けることができるような受信手段を決定して通知することができる。また、複数の移動通信端末から受信された位置情報とともに対応する位置の放送波の受信感度を受信することにより、位置と受信感度についてのデータを自動的に蓄積できる。
【００７１】
なお、ステップＳ４５２において、移動通信端末１００から受信された位置情報とその位置における放送波１４０の受信感度を用いて、エリア情報１１５を更新する処理がなされてもよい。
【００７２】
（５．変形例）
ここまで、予測位置に基づくコンテンツの受信手段の決定を管理サーバ１１０で行う例について説明した。以下では、エリア情報１１５を管理サーバ１１２から受信し、予測位置に基づくコンテンツ受信手段の決定を移動通信端末１０２で自ら行う例について説明する。移動通信端末１０２は、自ら移動後の予測位置を算出し、管理サーバ１１２から取得したエリア情報に基づいて、その予測位置に対応する受信感度を参照し、コンテンツの受信手段を決定する。移動通信端末１０２及び管理サーバ１１２の機能ブロックの例を図６Ａ、６Ｂに示す。なお、移動通信端末１０２及び管理サーバ１１２のシステム及びハードウェア構成は、図１、２Ａ、２Ｂにおける移動通信端末１００及び管理サーバ１１０の構成と同様である。
【００７３】
図６Ａに示される移動通信端末１０２は、出力制御部６００、放送受信部６０２、受信感度測定部６０４、位置情報管理部６０６、受信手段制御部６０８、通信制御部６１０、予測位置算出部６１４及び受信手段決定部６１６を有し、放送波１４０又は通信波１５０によって受信したコンテンツを再生する。
【００７４】
出力制御部６００は、図３Ａにおける出力制御部３００と同様の機能を有する。
【００７５】
放送受信部６０２は、図３Ａにおける放送受信部３０２と同様の機能を有する。
【００７６】
受信感度測定部６０４は、図３Ａにおける受信感度測定部３０４と同様の機能を有する。
【００７７】
位置情報管理部６０６は、図３Ａにおける位置情報管理部３０６と同様の機能を有する。
【００７８】
受信手段制御部６０８は、受信手段決定部６１６によって決定されるコンテンツの受信手段又は受信感度測定部６０４から取得される、放送波１４０によるコンテンツの受信可否の判断結果に基づき、コンテンツの受信手段を制御する。受信手段とは、ここでは放送波１４０又は通信波１５０である。受信手段制御部６０８は、コンテンツの受信可否の判断結果が「受信可」である場合、放送波１４０によるコンテンツの受信を開始するため、放送受信部６０２へコンテンツ受信要求を送信する。一方、受信した判断結果が「受信不可」である場合、通信波１５０によるコンテンツの受信を開始するため、通信制御部６１０へコンテンツ受信要求を送信する。このように、移動通信端末１０２において、放送波１４０によるコンテンツの受信可否に基づいて、受信手段を制御する。
【００７９】
一方、受信手段制御部６０８は、移動通信端末１０２が移動した場合においても、コンテンツが途切れることなく再生し続けられるよう、受信手段を切り替える。このために、受信手段制御部６０８は、コンテンツの再生中、受信手段決定部６１６に、移動後の位置におけるコンテンツの受信手段を決定させる。受信手段制御部６０８は、決定された受信手段が、「放送波による受信」の場合には、放送受信部６０２にコンテンツ受信要求を送信する。一方、通知された受信手段が「通信波による受信」の場合には、通信制御部６１０へコンテンツ受信要求を送信する。
【００８０】
また、受信手段制御部６０８は、通信制御部６１０を通じて、各位置に対する放送波１４０の受信感度の情報であるエリア情報１１５を、一定時間ごとに、あるいは必要に応じて、管理サーバ１１２に問合せる。問合せが必要な場合とは、移動通信端末１０２が、現在の位置に対応するエリア情報を受信していない場合である。受信されたエリア情報１１５は、当該移動通信端末１０２内に保管され、受信手段決定部６１６による受信手段の決定のために用いられる。
【００８１】
通信制御部６１０は、管理サーバ１１２へエリア情報１１５の問合せを行う問合せ信号送信部６１２を有し、ネットワーク１３０を通じて管理サーバ１１２等との間でなされる通信を制御する。通信制御部６１０は、問合せに対する管理サーバ１１２からの通知を受信する。また、通信制御部６１０は、図示しないコンテンツ提供サーバ等から、ネットワーク１３０を通じて、放送波１４０を通じて提供されるコンテンツと同等のコンテンツを受信することができる。さらに、通信制御部６１０は、コンテンツ受信要求に応じて、ネットワーク１３０を介して通信波１５０によりコンテンツを受信する。受信されたコンテンツは、出力制御部６００に渡され、出力される。
【００８２】
問合せ信号送信部６１２は、管理サーバ１１２にエリア情報１１５についての問合せを行う。問合せに対し、管理サーバ１１２は、例えば当該移動通信端末１０２の現在位置の半径数百メートルのエリア情報を通知する。通知されたエリア情報は、当該移動通信端末１０２内に保管される。ここで、通知されるエリア情報の範囲は任意であり、最新のエリア情報１１５の全てが送信されてもよい。問合せ信号送信部６１２は、位置情報管理部６０６から取得される現在の位置情報に加えて、受信感度測定部６０４で取得される放送波１４０の受信感度を問合せ信号に含めて送信する。
【００８３】
予測位置算出部６１４は、受信手段決定部６１６からの要求に応じ、位置情報管理部６０６で管理される移動通信端末１０２の現在の位置情報及び前回の位置情報に基づいて、移動通信端末１０２の移動後の予測位置を算出する。算出された予測位置は、受信手段決定部６１６に渡される。ここで予測位置は、移動通信端末１０２の前回の位置情報と現在の位置情報とから、移動通信端末１０２の進行方向と進行速度を求めることで算出してもよいし、他の如何なる手段を用いてもよい。例えば、移動通信端末１０２の進行方向は、前回の位置に係る座標から現在の位置に係る座標への向きである。また、移動通信端末１０２の進行速度は、現在の位置と前回の位置との間の距離と、それぞれの位置情報の取得時間の間隔から求めることができる。すなわち、現在の位置から、進行方向に向かって進行速度で進んだ位置を予測位置とすることができる。
【００８４】
受信手段決定部６１６は、受信手段制御部６０８からの要求に応じ、予測位置算出部６１４で算出された予測位置と、管理サーバ１１２から取得されたエリア情報１１５とに基づいて、適切な受信手段を決定する。受信手段決定部６１６は、受信手段制御部６０８からの要求に応じ、予測位置算出部６１４に予測位置を算出させる。そして、予測位置における放送波１４０の受信感度をエリア情報１１５から取得し、放送波１４０によるコンテンツの受信が可能である場合には、放送波１４０を受信手段として決定する。一方、放送波１４０によるコンテンツの受信が可能でない場合には、通信波１５０を受信手段として決定する。ここで、コンテンツの受信可否の判断方法として、例えば受信感度の値が所定の閾値以上の場合は「放送波による受信」、閾値より小さい場合は「通信波による受信」と判断する方法などが考えられる。また、放送波１４０によりコンテンツを受信している場合であっても、放送波１４０の受信感度が所定の閾値より低い場合には、さらに通信波１５０も用いて、同時に前記コンテンツを受信するよう制御してもよい。決定された受信手段は、受信手段制御部６０８へと渡される。ここで、所定の閾値は、例えば、移動通信端末１０２において、最低限の品質を満たす水準においてコンテンツを再生可能となるような受信感度の値に設定することができる。
【００８５】
以上により、移動通信端末１０２は、移動後の移動通信端末１０２の位置における放送波１４０によるコンテンツの受信可否の判断に基づいて、適切なコンテンツの受信手段を選択できる。
【００８６】
なお、受信手段制御部６０８は、受信手段決定部６１６によりコンテンツ受信手段が決定された後、さらに受信感度測定部６０４に、放送波１４０によるコンテンツの受信が可能か判断させてもよい。そして、この判断結果と、受信手段決定部６１６による決定とに基づき、コンテンツ受信手段を決定してもよい。
【００８７】
また、受信手段制御部６０８は、放送波１４０によりコンテンツを受信している場合であっても、放送波１４０の受信感度が所定の閾値より低い場合には、さらに通信波１５０も用いて、同時に前記コンテンツを受信するよう制御してもよい。これにより、放送波１４０を通じて前記コンテンツが受信できなくなった場合、通信波１５０により受信されていたコンテンツを再生でき、途切れることなくコンテンツを再生できる。この場合における所定の閾値とは、先述の受信可否に係る所定の閾値と比べて、余裕を持たせた値に設定できる。例えば、移動通信端末１０２において、最低限の品質を満たす水準においてコンテンツを再生可能となるような受信感度より高い受信感度の値に設定することができる。
【００８８】
図６Ｂに示される管理サーバ１１２は、通信制御部６５０及びエリア情報管理部６５２を有し、移動通信端末１０２から問合せを受け、移動通信端末１０２の現在位置に対応するエリア情報１１５を通知する。
【００８９】
通信制御部６５０は、問合せ信号受信部６５８及びエリア情報通知部６６０を有し、ネットワーク１３０を介して行われる、移動通信端末１０２及び他の複数の移動通信端末との間の通信を制御する。
【００９０】
問合せ信号受信部６５８は、移動通信端末１０２からエリア情報１１５についての問合せと、移動通信端末１０２の現在の位置情報及びその位置における放送波１４０の受信感度を受信する。移動通信端末１０２の現在の位置情報及びその位置における放送波１４０の受信感度は、エリア情報管理部６５２に渡され、エリア情報１１５として格納される。
【００９１】
エリア情報通知部６６０は、移動通信端末１０２から受信した移動通信端末１０２の現在の位置に対応する所定のエリア情報１１５を、移動通信端末１０２へと通知する。所定のエリア情報とは、例えば、移動通信端末１０２の現在位置の半径数百メートルのエリア情報である。ただし、通知されるエリア情報の範囲は任意であり、最新のエリア情報１１５の全てを通知してもよい。
【００９２】
エリア情報管理部６５２は、図３Ｂにおけるエリア情報管理部３５２と同様の機能を有する。
【００９３】
以上により、管理サーバ１１２は、移動通信端末１０２の現在位置に対応するエリア情報を、移動通信端末１０２に通知することができる。また、移動通信端末１０２からの受信手段についての問合せに含まれる位置情報と放送波１４０の受信感度を用いて、自動的にエリア情報１１５を更新できる。
【００９４】
次に、移動通信端末１０２及び管理サーバ１１２の処理フローについて、図７Ａ、７Ｂを用いて説明する。
【００９５】
図７Ａは、移動通信端末１０２の処理フローを表す。当該処理フローは、移動通信端末１０２によって繰り返し実行される。
【００９６】
ステップＳ７００において、移動通信端末１０２における処理が開始される。
【００９７】
ステップＳ７０２では、図４ＡにおけるステップＳ４０２と同様の処理がなされる。
【００９８】
ステップＳ７０４では、図４ＡにおけるステップＳ４０４と同様の処理がなされる。ただし、問い合わせには、前回の位置情報が含まれない点がステップＳ４０４と異なる。ここで、当該問合せは、管理サーバ１１２に対してエリア情報の送信を要求するためになされる。当該問合せ信号には、移動通信端末１０２の現在の位置情報及び放送波１４０の受信感度が含まれる。
【００９９】
ステップＳ７０６において、管理サーバ１１２からエリア情報を受信する。当該エリア情報は、例えば、移動通信端末１０２の現在位置の半径数百メートルのエリア情報である。
【０１００】
ステップＳ７０８において、予測位置算出部６１４は、移動通信端末１０２の現在の位置情報及び前回の位置情報をもとに、移動通信端末１０２の予測位置を算出する。
【０１０１】
ステップＳ７１０において、受信手段決定部６１６は、予測位置算出部６１４で算出された予測位置と、管理サーバから受信したエリア情報１１５とに基づいて、適切な受信手段を決定する。受信手段の決定方法として、例えば予測位置における受信感度の値が所定の閾値以上の場合は「放送波による受信」、閾値より小さい場合は「通信波による受信」とすることができる。所定の閾値は、例えば、移動通信端末１０２において、ユーザが視聴可能である最低限の品質を満たす水準でコンテンツを再生可能となるような受信感度の値に設定する。
【０１０２】
ステップＳ７１２では、図４ＡにおけるステップＳ４０８と同様の処理がなされる。当該処理は、受信手段決定部６１６による決定からのタイムラグ又は予測位置の誤差等により、移動通信端末１０２における放送波１４０の受信感度が変化していることを考慮するために行われる。
【０１０３】
ステップＳ７１４では、図４ＡにおけるステップＳ４１０と同様の処理がなされる。なお、図５に示されるテーブルは、「通知された受信手段」を「予測位置に基づいて決定された受信手段」と読み替えて参照する。図５を用いた受信手段の決定方法は、先述の方法と同様である。
【０１０４】
ステップＳ７１６では、図４ＡにおけるステップＳ４１２と同様の処理がなされる。
【０１０５】
ステップＳ７１８では、図４ＡにおけるステップＳ４１４と同様の処理がなされる。
【０１０６】
ステップＳ７２０では、図４ＡにおけるステップＳ４１６と同様の処理がなされる。
【０１０７】
ステップＳ７２２において、当該処理は終了する。
【０１０８】
このように、移動通信端末１０２は、コンテンツの再生中、自らが属するエリア内の受信感度情報であるエリア情報を管理サーバ１０２から受信し、移動後の予測位置における適切な受信手段を選択することができる。その結果、移動後の位置において放送波が受信できなくなった場合においても、コンテンツの再生を途切れることなく継続することができる。
【０１０９】
なお、ステップＳ７０４、Ｓ７０６は、移動通信端末１０２の現在位置に対応するエリア情報が既に受信済みである場合には、省略することができる。この場合には、当該移動通信端末１０２が、受信されているエリア情報に対応するエリアの外に出る可能性があるときに、エリア情報を問合せることができる。移動通信端末１０２がエリアの外に出る可能性があるかどうかは、予測位置算出部６１４により、当該端末の移動後の予測位置を算出させることで判断することができる。当該予測位置は、ステップＳ７０８が実行されている場合には、その結果を利用することができる。
【０１１０】
また、ステップＳ７１２、Ｓ７１４は省略することができる。この場合には、移動通信端末１０２は、管理サーバ１１２から受信したエリア情報と、当該端末の移動後の予測位置のみに基づいて受信手段を決定する。
【０１１１】
図７Ｂは、管理サーバ１１２の処理フローを表す。
【０１１２】
ステップＳ７５０において、管理サーバ１１２における処理が開始される。
【０１１３】
ステップＳ７５２において、問合せ信号受信部３５８は、移動通信端末１０２からエリア情報１１５についての問合せを受信する。また、合わせて、移動通信端末１０２の現在の位置情報及び現在位置における放送波１４０の受信感度を受信する。
【０１１４】
ステップＳ７５４において、エリア情報通知部６６０は、移動通信端末１０２の現在の位置に対応するエリア情報を、移動通信端末１０２に通知する。移動通信端末１０２の現在の位置に対応するエリア情報とは、例えば、移動通信端末１０２の現在位置の半径数百メートルのエリア情報である。
【０１１５】
ステップＳ７５６において、当該処理は終了する。
【０１１６】
以上により、管理サーバ１１２は、移動通信端末１０２の現在位置に対応した、受信感度情報を含むエリア情報を提供できる。また、複数の移動通信端末から受信された位置情報とともに対応する位置の放送波の受信感度を受信することにより、位置と受信感度についてのデータを自動的に蓄積できる。
【先行技術文献】
【特許文献】
【０１１７】
【特許文献１】特開２０１１−１４６８９６号公報
【符号の説明】
【０１１８】
１００  移動通信端末管理サーバ
１１５  エリア情報
３５０  通信制御部
３５２  エリア情報管理部
３５４  予測位置算出部
３５６  受信手段決定部
３５８  問合せ信号受信部
３６０  受信手段通知部
【図１】
2013110474.tif 000003
【図２Ａ】
2013110474.tif 000004
【図２Ｂ】
2013110474.tif 000005
【図３Ａ】
2013110474.tif 000006
【図３Ｂ】
2013110474.tif 000007
【図４Ａ】
2013110474.tif 000008
【図４Ｂ】
2013110474.tif 000009
【図５】
2013110474.tif 000010
【図６Ａ】
2013110474.tif 000011
【図６Ｂ】
2013110474.tif 000012
【図７Ａ】
2013110474.tif 000013
【図７Ｂ】
2013110474.tif 000014